(57)【要約】【課題】ジョブ投入後の所定時間内にユーザが印刷装置に到着したが印刷装置側の事情で認証できなかった場合でも、その後の認証でジョブが自動実行される印刷装置、印刷システム等を提供する。【解決手段】ジョブ投入後の所定時間内にユーザが印刷装置に到着したが印刷装置側の事情で認証部を使用できない場合に、該印刷装置はユーザから受けた所定の代替認証行為を検出してその検出時刻を記憶する。その後、認証部が使用可能になってユーザが印刷装置にログイン（正式認証）したとき、蓄積されている印刷ジョブの中に、そのユーザ宛のジョブであって、代替認証行為の検出時刻がジョブ投入から第２設定時間の経過前である印刷ジョブがあれば、該印刷ジョブを自動実行する。【選択図】図３
2016148911.tif 000002
【特許請求の範囲】
【請求項１】
宛先が設定された印刷ジョブの投入を受けるジョブ受領部と、
前記ジョブ受領部が投入を受けた前記印刷ジョブを蓄積する蓄積部と、
前記印刷ジョブを実行する印刷部と、
ユーザの認証を行う認証部と、
前記認証部が使用不可のときにユーザから受けた所定の行為を代替認証行為として検出する代替認証部と、
前記認証部によってユーザの認証が行われた場合に、前記蓄積部に蓄積されている印刷ジョブのうち、前記認証されたユーザが宛先に設定されていると共に前記認証の行われた時点が投入から第１設定時間の経過前である第１条件と、前記認証されたユーザが宛先に設定されていると共に前記検出部が前記代替認証行為を検出した時点が投入から第２設定時間の経過前である第２条件の少なくとも一方に該当する印刷ジョブを前記印刷部に自動的に実行させる制御部と、
を有する
ことを特徴とする印刷装置。
【請求項２】
前記代替認証行為が、主電源のオフからオンへの復帰操作、副電源のオフからオンへの復帰操作、省電力モードからの復帰操作、のいずれかである
ことを特徴とする請求項１に記載の印刷装置。
【請求項３】
前記認証部は、当該印刷装置のログインユーザを認証し、
前記認証部が使用不可のとき、とは、ログインユーザが既に存在する場合であり、
前記代替認証部は、ログインユーザが既に存在するときに前記認証部に対して行われた認証のための行為を、前記代替認証行為として検出する
ことを特徴とする請求項１に記載の印刷装置。
【請求項４】
前記第１設定時間と前記第２設定時間が等しい
ことを特徴とする請求項１乃至３のいずれか１つに記載の印刷装置。
【請求項５】
前記第１設定時間より、前記第２設定時間が長い
ことを特徴とする請求項１乃至３のいずれか１つに記載の印刷装置。
【請求項６】
前記第２条件に、宛先に設定されているユーザが前記代替認証部が前記代替認証行為を検出した後に前記認証部によって最初に認証されたユーザであることを付加する
ことを特徴とする請求項２に記載の印刷装置。
【請求項７】
ログインユーザが既に存在するときに前記認証部に対して行われた認証のための行為を前記代替認証部が前記代替認証行為として検出した後に前記ログインユーザがログアウトした場合に、前記ログインユーザがログアウトしたことを、前記認証のための行為を行ったユーザの端末に通知する通知部をさらに有する
ことを特徴とする請求項３に記載の印刷装置。
【請求項８】
前記制御部は、ログインユーザが既に存在するときに前記認証部に対して行われた認証のための行為を前記代替認証部が前記代替認証行為として検出した後、前記認証部が使用可能になってから所定時間が経過する前に、前記認証のための行為を行ったユーザが前記認証部からログインしない場合は、前記代替認証行為を無効にする
ことを特徴とする請求項３に記載の印刷装置。
【請求項９】
前記代替認証検出部が前記代替認証行為を行ったユーザを特定できる場合は、前記代替認証行為を行ったユーザと前記認証部で認証されたユーザが一致することを前記第２条件にさらに含める
ことを特徴とする請求項１乃至９のいずれか１つに記載の印刷装置。
【請求項１０】
ユーザの認証を行う認証部と、前記認証部が使用不可のときにユーザから受けた所定の行為を代替認証行為として検出する代替認証部とを備えた印刷装置から前記認証および前記検出の通知を受信する通知受信部と、
宛先が設定された印刷ジョブの投入を受けるジョブ取得部と、
前記投入された印刷ジョブを蓄積する蓄積部と、
前記印刷装置から前記認証の通知を受信した場合に、前記蓄積部に蓄積されている印刷ジョブのうち、前記認証されたユーザが宛先に設定されていると共に前記認証の行われた時点が投入から第１設定時間の経過前である第１条件と、前記認証されたユーザが宛先に設定されていると共に前記印刷装置の前記検出部が前記代替認証行為を検出した時点が投入から第２設定時間の経過前である第２条件の少なくとも一方に該当する印刷ジョブを前記印刷装置に送信して自動的に実行させる制御部と、
を有する
ことを特徴とする印刷管理装置。
【請求項１１】
前記代替認証行為が、主電源のオフからオンへの復帰操作、副電源のオフからオンへの復帰操作、省電力モードからの復帰操作、のいずれかである
ことを特徴とする請求項１０に記載の印刷管理装置。
【請求項１２】
前記認証部は、前記印刷装置のログインユーザを認証し、
前記認証部が使用不可のとき、とは、ログインユーザが既に存在する場合であり、
前記代替認証部は、ログインユーザが既に存在するときに前記認証部に対して行われた認証のための行為を、前記代替認証行為として検出する
ことを特徴とする請求項１１に記載の印刷管理装置。
【請求項１３】
前記第１設定時間と前記第２設定時間が等しい
ことを特徴とする請求項１０乃至１２のいずれか１つに記載の印刷管理装置。
【請求項１４】
前記第１設定時間より、前記第２設定時間が長い
ことを特徴とする請求項１０乃至１２のいずれか１つに記載の印刷管理装置。
【請求項１５】
前記第２条件に、宛先に設定されているユーザが前記代替認証部が前記代替認証行為を検出した後に前記認証部によって最初に認証されたユーザであることを付加する
ことを特徴とする請求項１１に記載の印刷管理装置。
【請求項１６】
前記印刷装置でログインユーザが既に存在するときに前記印刷装置の前記認証部に対して行われた認証のための行為を前記印刷装置の前記代替認証部が前記代替認証行為として検出した後に前記ログインユーザがログアウトした場合に、前記ログインユーザがログアウトしたことを、前記認証のための行為を行ったユーザの端末に通知する通知部をさらに有する
ことを特徴とする請求項１２に記載の印刷管理装置。
【請求項１７】
前記制御部は、前記印刷装置でログインユーザが既に存在するときに前記印刷装置の前記認証部に対して行われた認証のための行為を前記印刷装置の前記代替認証部が前記代替認証行為として検出した後、前記印刷装置の前記認証部が使用可能になってから所定時間が経過する前に、前記認証のための行為を行ったユーザが前記印刷装置の前記認証部からログインしない場合は、前記代替認証行為を無効にする
ことを特徴とする請求項１２に記載の印刷管理装置。
【請求項１８】
前記代替認証行為を行ったユーザを特定できる場合は、前記代替認証行為を行ったユーザと前記認証部で認証されたユーザが一致することを前記第２条件にさらに含める
ことを特徴とする請求項１０乃至１７のいずれか１つに記載の印刷管理装置。
【請求項１９】
印刷装置と、該印刷装置に印刷ジョブを送信する印刷管理装置とを有する印刷システムにおいて、
前記印刷装置は、
ユーザの認証を行う認証部と、
前記認証部が使用不可のときにユーザから受けた所定の行為を代替認証行為として検出する代替認証部とを有し、
前記印刷管理装置は、
前記印刷装置から前記認証および前記検出の通知を受信する通知受信部と、
宛先が設定された印刷ジョブの投入を受けるジョブ取得部と、
前記投入された印刷ジョブを蓄積する蓄積部と、
前記印刷装置から前記認証の通知を受信した場合に、前記蓄積部に蓄積されている印刷ジョブのうち、前記認証されたユーザが宛先に設定されていると共に前記認証の行われた時点が投入から第１設定時間の経過前である第１条件と、前記認証されたユーザが宛先に設定されていると共に前記印刷装置の前記検出部が前記代替認証行為を検出した時点が投入から第２設定時間の経過前である第２条件の少なくとも一方に該当する印刷ジョブを前記印刷装置に送信して自動的に実行させる制御部と、
を有する
ことを特徴とする印刷システム。
【請求項２０】
前記代替認証行為が、主電源のオフからオンへの復帰操作、副電源のオフからオンへの復帰操作、省電力モードからの復帰操作、のいずれかである
ことを特徴とする請求項１９に記載の印刷システム。
【請求項２１】
前記認証部は、前記印刷装置のログインユーザを認証し、
前記認証部が使用不可のとき、とは、ログインユーザが既に存在する場合であり、
前記代替認証部は、ログインユーザが既に存在するときに前記認証部に対して行われた認証のための行為を、前記代替認証行為として検出する
ことを特徴とする請求項１９に記載の印刷システム。
【請求項２２】
前記第１設定時間と前記第２設定時間が等しい
ことを特徴とする請求項１９乃至２１のいずれか１つに記載の印刷システム。
【請求項２３】
前記第１設定時間より、前記第２設定時間が長い
ことを特徴とする請求項１９乃至２１のいずれか１つに記載の印刷システム。
【請求項２４】
前記第２条件に、宛先に設定されているユーザが前記代替認証部が前記代替認証行為を検出した後に前記認証部によって最初に認証されたユーザであることを付加する
ことを特徴とする請求項２０に記載の印刷システム。
【請求項２５】
前記印刷装置でログインユーザが既に存在するときに前記印刷装置の前記認証部に対して行われた認証のための行為を前記印刷装置の前記代替認証部が前記代替認証行為として検出した後に前記ログインユーザがログアウトした場合に、前記ログインユーザがログアウトしたことを、前記認証のための行為を行ったユーザの端末に通知する通知部をさらに有する
ことを特徴とする請求項２１に記載の印刷システム。
【請求項２６】
前記制御部は、前記印刷装置でログインユーザが既に存在するときに前記印刷装置の前記認証部に対して行われた認証のための行為を前記印刷装置の前記代替認証部が前記代替認証行為として検出した後、前記印刷装置の前記認証部が使用可能になってから所定時間が経過する前に、前記認証のための行為を行ったユーザが前記印刷装置の前記認証部からログインしない場合は、前記代替認証行為を無効にする
ことを特徴とする請求項２１に記載の印刷システム。
【請求項２７】
前記代替認証行為を行ったユーザを特定できる場合は、前記代替認証行為を行ったユーザと前記認証部で認証されたユーザが一致することを前記第２条件にさらに含める
ことを特徴とする請求項１９乃至２６のいずれか１つに記載の印刷システム。
【請求項２８】
情報処理装置を、
ユーザの認証を行う認証部と、前記認証部が使用不可のときにユーザから受けた所定の行為を代替認証行為として検出する代替認証部とを備えた複数の登録された印刷装置の何れかから、前記認証および前記検出の通知を受信する通知受信部、
宛先が設定された印刷ジョブの投入を受けるジョブ取得部、
前記投入された印刷ジョブを蓄積する蓄積部、
前記印刷装置から前記認証の通知を受信した場合に、前記蓄積部に蓄積されている印刷ジョブのうち、前記認証されたユーザが宛先に設定されていると共に前記認証の行われた時点が投入から第１設定時間の経過前である第１条件と、前記認証されたユーザが宛先に設定されていると共に前記印刷装置の前記検出部が前記代替認証行為を検出した時点が投入から第２設定時間の経過前である第２条件の少なくとも一方に該当する印刷ジョブを前記印刷装置に送信して自動的に実行させる制御部、
として機能させる
ことを特徴とするプログラム。
【請求項２９】
前記代替認証行為が、主電源のオフからオンへの復帰操作、副電源のオフからオンへの復帰操作、省電力モードからの復帰操作、のいずれかである
ことを特徴とする請求項２８に記載のプログラム。
【請求項３０】
前記認証部は、前記印刷装置のログインユーザを認証し、
前記認証部が使用不可のとき、とは、ログインユーザが既に存在する場合であり、
前記代替認証部は、ログインユーザが既に存在するときに前記認証部に対して行われた認証のための行為を、前記代替認証行為として検出する
ことを特徴とする請求項２８に記載のプログラム。
【請求項３１】
前記第１設定時間と前記第２設定時間が等しい
ことを特徴とする請求項２８乃至３０のいずれか１つに記載のプログラム。
【請求項３２】
前記第１設定時間より、前記第２設定時間が長い
ことを特徴とする請求項２８乃至３０のいずれか１つに記載のプログラム。
【請求項３３】
前記第２条件に、宛先に設定されているユーザが前記代替認証部が前記代替認証行為を検出した後に前記認証部によって最初に認証されたユーザであることを付加する
ことを特徴とする請求項２９に記載のプログラム。
【請求項３４】
前記情報処理装置を、
前記印刷装置でログインユーザが既に存在するときに前記印刷装置の前記認証部に対して行われた認証のための行為を前記印刷装置の前記代替認証部が前記代替認証行為として検出した後に前記ログインユーザがログアウトした場合に、前記ログインユーザがログアウトしたことを、前記認証のための行為を行ったユーザの端末に通知する通知部として機能させる
ことを特徴とする請求項３０に記載のプログラム。
【請求項３５】
前記制御部は、前記印刷装置でログインユーザが既に存在するときに前記印刷装置の前記認証部に対して行われた認証のための行為を前記印刷装置の前記代替認証部が前記代替認証行為として検出した後、前記印刷装置の前記認証部が使用可能になってから所定時間が経過する前に、前記認証のための行為を行ったユーザが前記印刷装置の前記認証部からログインしない場合は、前記代替認証行為を無効にする
ことを特徴とする請求項３０に記載のプログラム。
【請求項３６】
前記代替認証行為を行ったユーザを特定できる場合は、前記代替認証行為を行ったユーザと前記認証部で認証されたユーザが一致することを前記第２条件にさらに含める
ことを特徴とする請求項２８乃至３５のいずれか１つに記載のプログラム。
【請求項３７】
ユーザの認証を行う認証部と、
前記認証部が使用不可のときにユーザから受けた所定の行為を代替認証行為として検出する代替認証部と、
前記認証および前記検出の通知を、宛先の設定された印刷ジョブの投入を受けて該印刷ジョブを蓄積部に蓄積する印刷管理装置へ送信する送信部と、
前記印刷管理装置から前記印刷ジョブを受信するジョブ受信部と、
前記ジョブ受信部が受信した印刷ジョブを実行する印刷部と、
を有し、
前記印刷管理装置は、
宛先が設定された印刷ジョブの投入を受けるジョブ取得部と、
前記投入された印刷ジョブを蓄積する蓄積部と、
前記認証の通知を受信した場合に、前記蓄積部に蓄積されている印刷ジョブのうち、前記認証されたユーザが宛先に設定されていると共に前記認証の行われた時点が投入から第１設定時間の経過前である第１条件と、前記認証されたユーザが宛先に設定されていると共に前記印刷装置の前記検出部が前記代替認証行為を検出した時点が投入から第２設定時間の経過前である第２条件の少なくとも一方に該当する印刷ジョブを前記通知の送信元の印刷装置に送信して実行させる
ことを特徴とする印刷装置。
【請求項３８】
前記代替認証行為が、主電源のオフからオンへの復帰操作、副電源のオフからオンへの復帰操作、省電力モードからの復帰操作、のいずれかである
ことを特徴とする請求項３７に記載の印刷装置。
【請求項３９】
前記認証部は、ログインユーザを認証し、
前記認証部が使用不可のとき、とは、ログインユーザが既に存在する場合であり、
前記代替認証部は、ログインユーザが既に存在するときに前記認証部に対して行われた認証のための行為を、前記代替認証行為として検出する
ことを特徴とする請求項３７に記載の印刷装置。
【発明の詳細な説明】
【技術分野】
【０００１】
本発明は、宛先の設定された印刷ジョブの投入を受けて蓄積しておき、その宛先のユーザが印刷装置で認証された場合に、該印刷ジョブを実行する印刷装置、印刷管理装置、印刷システム、プログラムに関する。
【背景技術】
【０００２】
一般的にユーザ認証機能を持った複合機などの印刷装置で印刷機能を利用する場合、ユーザは、印刷ジョブを投入した後、印刷装置まで移動し、該印刷装置にてユーザ認証を行い、さらに該印刷装置の操作パネルから印刷したい印刷ジョブを一覧等から選択して、印刷を行わせる。
【０００３】
しかし、この手順では、ユーザ認証した後、さらにジョブの一覧等から目的の印刷ジョブを選択する操作を行わねばならず、操作が煩雑になっている。
【０００４】
この問題を改善するために、ユーザが印刷ジョブを投入してから所定時間内に印刷装置で認証を行えば、一覧等から印刷ジョブを選択する操作を行わずに、認証後、直ちに印刷が開始される、ジョブの自動実行機能を備えた印刷装置等が考案されている（たとえば、下記特許文献１、２参照。）。
【先行技術文献】
【特許文献】
【０００５】
【特許文献１】特開２０１１−２２３１８０号公報
【特許文献２】特開２００７―３１８３６０号公報
【発明の概要】
【発明が解決しようとする課題】
【０００６】
特許文献１、２に開示の印刷装置では、ユーザが印刷ジョブを投入した後、印刷装置まで移動したが、その印刷装置の電源がオフになっていた、あるいは、その印刷装置を他のユーザが使用していた、などの理由により、すぐにユーザ認証できない場合がある。この場合、ユーザ認証可能な状態になるのを待っている間に、印刷ジョブの投入から所定時間が経過すると、ジョブの自動実行が行われなくなってしまう。
【０００７】
本発明は、上記の問題を解決しようとするものであり、ジョブ投入後の所定時間内にユーザが印刷装置に到着したが印刷装置側の事情で認証できなかった場合でも、その後の認証でジョブが自動実行される印刷装置、印刷管理装置、印刷システム、プログラムを提供することを目的としている。
【課題を解決するための手段】
【０００８】
かかる目的を達成するための本発明の要旨とするところは、次の各項の発明に存する。
【０００９】
［１］宛先が設定された印刷ジョブの投入を受けるジョブ受領部と、
前記ジョブ受領部が投入を受けた前記印刷ジョブを蓄積する蓄積部と、
前記印刷ジョブを実行する印刷部と、
ユーザの認証を行う認証部と、
前記認証部が使用不可のときにユーザから受けた所定の行為を代替認証行為として検出する代替認証部と、
前記認証部によってユーザの認証が行われた場合に、前記蓄積部に蓄積されている印刷ジョブのうち、前記認証されたユーザが宛先に設定されていると共に前記認証の行われた時点が投入から第１設定時間の経過前である第１条件と、前記認証されたユーザが宛先に設定されていると共に前記検出部が前記代替認証行為を検出した時点が投入から第２設定時間の経過前である第２条件の少なくとも一方に該当する印刷ジョブを前記印刷部に自動的に実行させる制御部と、
を有する
ことを特徴とする印刷装置。
【００１０】
上記発明では、宛先の設定された印刷ジョブを投入してから第１設定時間の経過前に宛先のユーザが印刷装置の認証部で認証すれば、第１条件が成立して該印刷ジョブが自動実行される。一方、宛先の設定された印刷ジョブを投入してから第１設定時間が経過した後に宛先のユーザが印刷装置の認証部で認証した場合であっても、第２設定時間の経過前に当該印刷装置に対して代替認証が行われていれば、第２条件が成立して該印刷ジョブが自動実行される。
【００１１】
［２］前記代替認証行為が、主電源のオフからオンへの復帰操作、副電源のオフからオンへの復帰操作、省電力モードからの復帰操作、のいずれかである
ことを特徴とする［１］に記載の印刷装置。
【００１２】
上記発明および下記［１１］、［２０］、［２９］、［３８］に記載の発明では、印刷装置が主電源のオフの状態、副電源のオフの状態、省電力モードの状態にあるときは、これらの状態から印刷装置（認証部）を使用可能な状態に復帰させるための動作を代替認証行為として検出する。すなわち、主電源をオンにする行為、副電源をオンにする行為、省電力モードから復帰させる行為が代替認証行為となる。
【００１３】
［３］前記認証部は、当該印刷装置のログインユーザを認証し、
前記認証部が使用不可のとき、とは、ログインユーザが既に存在する場合であり、
前記代替認証部は、ログインユーザが既に存在するときに前記認証部に対して行われた認証のための行為を、前記代替認証行為として検出する
ことを特徴とする［１］に記載の印刷装置。
【００１４】
上記発明および下記［１２］、［２１］、［３０］、［３９］に記載の発明では、ログインユーザが既に存在する状態で、さらに認証部に対して行われたユーザ認証のための行為が行われたとき、該行為を代替認証行為として検出する。たとえば、ログインユーザが既に存在する状態で、認証部に認証情報が入力されたとき、代替認証部は認証部に入力された認証情報を記録し、該認証情報の入力を代替認証行為として検出する。
【００１５】
［４］前記第１設定時間と前記第２設定時間が等しい
ことを特徴とする［１］乃至［３］のいずれか１つに記載の印刷装置。
【００１６】
上記発明および下記［１３］、［２２］、［３１］に記載の発明では、第１設定時間の経過前に、代替認証行為を行えばよい。
【００１７】
［５］前記第１設定時間より、前記第２設定時間が長い
ことを特徴とする［１］乃至［３］のいずれか１つに記載の印刷装置。
【００１８】
上記発明および下記［１４］、［２３］、［３２］に記載の発明では、たとえば、ユーザは、第１設定時間の経過前に印刷装置の前に到着したが、主電源オフとなっていることに気付くまでに時間がかかる場合がある。このようなロス時間を考慮して、代替認証行為が許容される第２設定時間は第１設定時間より長くされる。
【００１９】
［６］前記第２条件に、宛先に設定されているユーザが前記代替認証部が前記代替認証行為を検出した後に前記認証部によって最初に認証されたユーザであることを付加する
ことを特徴とする［２］に記載の印刷装置。
【００２０】
上記発明および下記［１５］、［２４］、［３３］に記載の発明では、主電源オフなどの要因で認証部による認証ができなかった場合、主電源をオンにする行為が代替認証行為として検出される。このような場合、主電源がオンになってから最初に認証したユーザが代替認証行為を行ったユーザと考えられる。そこで、代替認証行為によって使用可能な状態に復帰した認証部が最初に認証したユーザと同じユーザが宛先に設定されている印刷ジョブのみを自動実行の対象に制限する。
【００２１】
［７］ログインユーザが既に存在するときに前記認証部に対して行われた認証のための行為を前記代替認証部が前記代替認証行為として検出した後に前記ログインユーザがログアウトした場合に、前記ログインユーザがログアウトしたことを、前記認証のための行為を行ったユーザの端末に通知する通知部をさらに有する
ことを特徴とする［３］に記載の印刷装置。
【００２２】
上記発明および下記［１６］、［２５］、［３４］に記載の発明では、ログインユーザが既に存在している場合、代替認証行為を行ったユーザが印刷装置から一旦、離れてしまうことが想定される。そこで、ログインユーザがログアウトしたとき、代替認証行為を行ったユーザの端末に、印刷装置が使用可能になったことを通知する。
【００２３】
［８］前記制御部は、ログインユーザが既に存在するときに前記認証部に対して行われた認証のための行為を前記代替認証部が前記代替認証行為として検出した後、前記認証部が使用可能になってから所定時間が経過する前に、前記認証のための行為を行ったユーザが前記認証部からログインしない場合は、前記代替認証行為を無効にする
ことを特徴とする［３］に記載の印刷装置。
【００２４】
上記発明および下記［１７］、［２６］、［３５］に記載の発明では、ログインユーザが既に存在するときに代替認証が行われた場合、ログインユーザがログアウトすれば、別のユーザが認証部で認証可能な状態になる。しかし、認証部を使用可能な状態になってから所定時間が経過しても代替認証を行ったユーザがログインしない場合には、もはやこのユーザがジョブの自動実行を望んでいないと推定できる。そこで、このような場合には、代替認証行為を無効にし、代替認証を行ったユーザがその後にログインしても印刷ジョブを自動実行しないようにする。
【００２５】
［９］前記代替認証検出部が前記代替認証行為を行ったユーザを特定できる場合は、前記代替認証行為を行ったユーザと前記認証部で認証されたユーザが一致することを前記第２条件にさらに含める
ことを特徴とする［１］乃至［９］のいずれか１つに記載の印刷装置。
【００２６】
上記発明および下記［１８］、［２７］、［３６］に記載の発明では、第２設定時間内に代替認証行為を行ったユーザと同じユーザが、その後に認証部で認証された場合に、そのユーザを宛先とする印刷ジョブの自動実行が行われ、代替認証行為を行ったユーザとその後に認証されたユーザとが異なる場合には、認証されたユーザを宛先とする印刷ジョブの自動実行は行われない。
【００２７】
［１０］ユーザの認証を行う認証部と、前記認証部が使用不可のときにユーザから受けた所定の行為を代替認証行為として検出する代替認証部とを備えた印刷装置から前記認証および前記検出の通知を受信する通知受信部と、
宛先が設定された印刷ジョブの投入を受けるジョブ取得部と、
前記投入された印刷ジョブを蓄積する蓄積部と、
前記印刷装置から前記認証の通知を受信した場合に、前記蓄積部に蓄積されている印刷ジョブのうち、前記認証されたユーザが宛先に設定されていると共に前記認証の行われた時点が投入から第１設定時間の経過前である第１条件と、前記認証されたユーザが宛先に設定されていると共に前記印刷装置の前記検出部が前記代替認証行為を検出した時点が投入から第２設定時間の経過前である第２条件の少なくとも一方に該当する印刷ジョブを前記印刷装置に送信して自動的に実行させる制御部と、
を有する
ことを特徴とする印刷管理装置。
【００２８】
上記発明および下記［１９］に記載の発明では、宛先の設定された印刷ジョブを印刷管理装置に投入してから第１設定時間の経過前に宛先のユーザが印刷装置の認証部で認証すれば、第１条件が成立して該印刷ジョブが印刷管理装置からその印刷装置に送信されて自動実行される。一方、宛先の設定された印刷ジョブを印刷管理装置に投入してから第１設定時間が経過した後に宛先のユーザが印刷装置の認証部で認証した場合であっても、第２設定時間の経過前にその印刷装置に対して代替認証が行われていれば、第２条件が成立して該印刷ジョブが印刷管理装置からその印刷装置に送信されて自動実行される。
【００２９】
［１１］前記代替認証行為が、主電源のオフからオンへの復帰操作、副電源のオフからオンへの復帰操作、省電力モードからの復帰操作、のいずれかである
ことを特徴とする［１０］に記載の印刷管理装置。
【００３０】
［１２］前記認証部は、前記印刷装置のログインユーザを認証し、
前記認証部が使用不可のとき、とは、ログインユーザが既に存在する場合であり、
前記代替認証部は、ログインユーザが既に存在するときに前記認証部に対して行われた認証のための行為を、前記代替認証行為として検出する
ことを特徴とする［１１］に記載の印刷管理装置。
【００３１】
［１３］前記第１設定時間と前記第２設定時間が等しい
ことを特徴とする［１０］乃至［１２］のいずれか１つに記載の印刷管理装置。
【００３２】
［１４］前記第１設定時間より、前記第２設定時間が長い
ことを特徴とする［１０］乃至［１２］のいずれか１つに記載の印刷管理装置。
【００３３】
［１５］前記第２条件に、宛先に設定されているユーザが前記代替認証部が前記代替認証行為を検出した後に前記認証部によって最初に認証されたユーザであることを付加する
ことを特徴とする［１１］に記載の印刷管理装置。
【００３４】
［１６］前記印刷装置でログインユーザが既に存在するときに前記印刷装置の前記認証部に対して行われた認証のための行為を前記印刷装置の前記代替認証部が前記代替認証行為として検出した後に前記ログインユーザがログアウトした場合に、前記ログインユーザがログアウトしたことを、前記認証のための行為を行ったユーザの端末に通知する通知部をさらに有する
ことを特徴とする［１２］に記載の印刷管理装置。
【００３５】
［１７］前記制御部は、前記印刷装置でログインユーザが既に存在するときに前記印刷装置の前記認証部に対して行われた認証のための行為を前記印刷装置の前記代替認証部が前記代替認証行為として検出した後、前記印刷装置の前記認証部が使用可能になってから所定時間が経過する前に、前記認証のための行為を行ったユーザが前記印刷装置の前記認証部からログインしない場合は、前記代替認証行為を無効にする
ことを特徴とする［１２］に記載の印刷管理装置。
【００３６】
［１８］前記代替認証行為を行ったユーザを特定できる場合は、前記代替認証行為を行ったユーザと前記認証部で認証されたユーザが一致することを前記第２条件にさらに含める
ことを特徴とする［１０］乃至［１７］のいずれか１つに記載の印刷管理装置。
【００３７】
［１９］印刷装置と、該印刷装置に印刷ジョブを送信する印刷管理装置とを有する印刷システムにおいて、
前記印刷装置は、
ユーザの認証を行う認証部と、
前記認証部が使用不可のときにユーザから受けた所定の行為を代替認証行為として検出する代替認証部とを有し、
前記印刷管理装置は、
前記印刷装置から前記認証および前記検出の通知を受信する通知受信部と、
宛先が設定された印刷ジョブの投入を受けるジョブ取得部と、
前記投入された印刷ジョブを蓄積する蓄積部と、
前記印刷装置から前記認証の通知を受信した場合に、前記蓄積部に蓄積されている印刷ジョブのうち、前記認証されたユーザが宛先に設定されていると共に前記認証の行われた時点が投入から第１設定時間の経過前である第１条件と、前記認証されたユーザが宛先に設定されていると共に前記印刷装置の前記検出部が前記代替認証行為を検出した時点が投入から第２設定時間の経過前である第２条件の少なくとも一方に該当する印刷ジョブを前記印刷装置に送信して自動的に実行させる制御部と、
を有する
ことを特徴とする印刷システム。
【００３８】
［２０］前記代替認証行為が、主電源のオフからオンへの復帰操作、副電源のオフからオンへの復帰操作、省電力モードからの復帰操作、のいずれかである
ことを特徴とする［１９］に記載の印刷システム。
【００３９】
［２１］前記認証部は、前記印刷装置のログインユーザを認証し、
前記認証部が使用不可のとき、とは、ログインユーザが既に存在する場合であり、
前記代替認証部は、ログインユーザが既に存在するときに前記認証部に対して行われた認証のための行為を、前記代替認証行為として検出する
ことを特徴とする［１９］に記載の印刷システム。
【００４０】
［２２］前記第１設定時間と前記第２設定時間が等しい
ことを特徴とする［１９］乃至［２１］のいずれか１つに記載の印刷システム。
【００４１】
［２３］前記第１設定時間より、前記第２設定時間が長い
ことを特徴とする［１９］乃至［２１］のいずれか１つに記載の印刷システム。
【００４２】
［２４］前記第２条件に、宛先に設定されているユーザが前記代替認証部が前記代替認証行為を検出した後に前記認証部によって最初に認証されたユーザであることを付加する
ことを特徴とする［２０］に記載の印刷システム。
【００４３】
［２５］前記印刷装置でログインユーザが既に存在するときに前記印刷装置の前記認証部に対して行われた認証のための行為を前記印刷装置の前記代替認証部が前記代替認証行為として検出した後に前記ログインユーザがログアウトした場合に、前記ログインユーザがログアウトしたことを、前記認証のための行為を行ったユーザの端末に通知する通知部をさらに有する
ことを特徴とする［２１］に記載の印刷システム。
【００４４】
［２６］前記制御部は、前記印刷装置でログインユーザが既に存在するときに前記印刷装置の前記認証部に対して行われた認証のための行為を前記印刷装置の前記代替認証部が前記代替認証行為として検出した後、前記印刷装置の前記認証部が使用可能になってから所定時間が経過する前に、前記認証のための行為を行ったユーザが前記印刷装置の前記認証部からログインしない場合は、前記代替認証行為を無効にする
ことを特徴とする［２１］に記載の印刷システム。
【００４５】
［２７］前記代替認証行為を行ったユーザを特定できる場合は、前記代替認証行為を行ったユーザと前記認証部で認証されたユーザが一致することを前記第２条件にさらに含める
ことを特徴とする［１９］乃至［２６］のいずれか１つに記載の印刷システム。
【００４６】
［２８］情報処理装置を、
ユーザの認証を行う認証部と、前記認証部が使用不可のときにユーザから受けた所定の行為を代替認証行為として検出する代替認証部とを備えた複数の登録された印刷装置の何れかから、前記認証および前記検出の通知を受信する通知受信部、
宛先が設定された印刷ジョブの投入を受けるジョブ取得部、
前記投入された印刷ジョブを蓄積する蓄積部、
前記印刷装置から前記認証の通知を受信した場合に、前記蓄積部に蓄積されている印刷ジョブのうち、前記認証されたユーザが宛先に設定されていると共に前記認証の行われた時点が投入から第１設定時間の経過前である第１条件と、前記認証されたユーザが宛先に設定されていると共に前記印刷装置の前記検出部が前記代替認証行為を検出した時点が投入から第２設定時間の経過前である第２条件の少なくとも一方に該当する印刷ジョブを前記印刷装置に送信して自動的に実行させる制御部、
として機能させる
ことを特徴とするプログラム。
【００４７】
［２９］前記代替認証行為が、主電源のオフからオンへの復帰操作、副電源のオフからオンへの復帰操作、省電力モードからの復帰操作、のいずれかである
ことを特徴とする［２８］に記載のプログラム。
【００４８】
［３０］前記認証部は、前記印刷装置のログインユーザを認証し、
前記認証部が使用不可のとき、とは、ログインユーザが既に存在する場合であり、
前記代替認証部は、ログインユーザが既に存在するときに前記認証部に対して行われた認証のための行為を、前記代替認証行為として検出する
ことを特徴とする［２８］に記載のプログラム。
【００４９】
［３１］前記第１設定時間と前記第２設定時間が等しい
ことを特徴とする［２８］乃至［３０］のいずれか１つに記載のプログラム。
【００５０】
［３２］前記第１設定時間より、前記第２設定時間が長い
ことを特徴とする［２８］乃至［３０］のいずれか１つに記載のプログラム。
【００５１】
［３３］前記第２条件に、宛先に設定されているユーザが前記代替認証部が前記代替認証行為を検出した後に前記認証部によって最初に認証されたユーザであることを付加する
ことを特徴とする［２９］に記載のプログラム。
【００５２】
［３４］前記情報処理装置を、
前記印刷装置でログインユーザが既に存在するときに前記印刷装置の前記認証部に対して行われた認証のための行為を前記印刷装置の前記代替認証部が前記代替認証行為として検出した後に前記ログインユーザがログアウトした場合に、前記ログインユーザがログアウトしたことを、前記認証のための行為を行ったユーザの端末に通知する通知部として機能させる
ことを特徴とする［３０］に記載のプログラム。
【００５３】
［３５］前記制御部は、前記印刷装置でログインユーザが既に存在するときに前記印刷装置の前記認証部に対して行われた認証のための行為を前記印刷装置の前記代替認証部が前記代替認証行為として検出した後、前記印刷装置の前記認証部が使用可能になってから所定時間が経過する前に、前記認証のための行為を行ったユーザが前記印刷装置の前記認証部からログインしない場合は、前記代替認証行為を無効にする
ことを特徴とする［３０］に記載のプログラム。
【００５４】
［３６］前記代替認証行為を行ったユーザを特定できる場合は、前記代替認証行為を行ったユーザと前記認証部で認証されたユーザが一致することを前記第２条件にさらに含める
ことを特徴とする［２８］乃至［３５］のいずれか１つに記載のプログラム。
【００５５】
［３７］ユーザの認証を行う認証部と、
前記認証部が使用不可のときにユーザから受けた所定の行為を代替認証行為として検出する代替認証部と、
前記認証および前記検出の通知を、宛先の設定された印刷ジョブの投入を受けて該印刷ジョブを蓄積部に蓄積する印刷管理装置へ送信する送信部と、
前記印刷管理装置から前記印刷ジョブを受信するジョブ受信部と、
前記ジョブ受信部が受信した印刷ジョブを実行する印刷部と、
を有し、
前記印刷管理装置は、
宛先が設定された印刷ジョブの投入を受けるジョブ取得部と、
前記投入された印刷ジョブを蓄積する蓄積部と、
前記認証の通知を受信した場合に、前記蓄積部に蓄積されている印刷ジョブのうち、前記認証されたユーザが宛先に設定されていると共に前記認証の行われた時点が投入から第１設定時間の経過前である第１条件と、前記認証されたユーザが宛先に設定されていると共に前記印刷装置の前記検出部が前記代替認証行為を検出した時点が投入から第２設定時間の経過前である第２条件の少なくとも一方に該当する印刷ジョブを前記通知の送信元の印刷装置に送信して実行させる
ことを特徴とする印刷装置。
【００５６】
上記発明では、印刷装置は、認証部での認証および代替認証部での代替認証行為の検出に関する通知を印刷管理装置へ送信する。
【００５７】
［３８］前記代替認証行為が、主電源のオフからオンへの復帰操作、副電源のオフからオンへの復帰操作、省電力モードからの復帰操作、のいずれかである
ことを特徴とする［３７］に記載の印刷装置。
【００５８】
［３９］前記認証部は、ログインユーザを認証し、
前記認証部が使用不可のとき、とは、ログインユーザが既に存在する場合であり、
前記代替認証部は、ログインユーザが既に存在するときに前記認証部に対して行われた認証のための行為を、前記代替認証行為として検出する
ことを特徴とする［３７］に記載の印刷装置。
【発明の効果】
【００５９】
本発明に係る印刷装置、印刷管理装置、印刷システム、プログラムによれば、ジョブ投入後の所定時間内にユーザが印刷装置に到着したが印刷装置側の事情で認証できなかった場合でも、その後の認証によりジョブが自動実行されて、利便性が確保される。
【図面の簡単な説明】
【００６０】
【図１】本発明の第１の実施の形態に係る印刷システムの一例を示す図である。
【図２】ジョブの自動実行が行われる場合の手順の一例を示す図である。
【図３】代替認証によるジョブの自動実行が行われる場合の手順の一例を示す図である。
【図４】代替認証によるジョブの自動実行が行われる場合の手順であって、第１設定時間より第２設定時間が長い場合の例を示す図である。
【図５】代替認証によるジョブの自動実行が行われる場合の手順であって、認証可能状態になった通知が行われる例を示す図である。
【図６】代替認証によるジョブの自動実行が行われる場合の手順であって、認証可能状態になってから正式認証の受け付け可能時間が制限されている場合の例を示す図である。
【図７】第１の実施の形態に係る印刷装置の概略構成を示すブロック図である。
【図８】第１の実施の形態に係る印刷管理装置の概略構成を示すブロック図である。
【図９】代替認証管理テーブルの一例を示す図である。
【図１０】代替認証によるジョブの自動実行に関する概略の流れを示す流れ図である。
【図１１】第１の実施の形態に係る印刷装置が行う処理を示す流れ図である。
【図１２】第１の実施の形態に係る印刷管理装置が行う処理を示す流れ図である。
【図１３】図１２の続きを示す流れ図である。
【図１４】第２の実施の形態に係る印刷装置の概略構成を示すブロック図である。
【図１５】第２の実施の形態に係る印刷装置が行う処理を示す流れ図である。
【図１６】図１５の続きを示す流れ図である。
【発明を実施するための形態】
【００６１】
以下、図面に基づき本発明の各種実施の形態を説明する。
【００６２】
図１は、本発明の第１の実施の形態に係る印刷システム５の一例を示している。印刷システム５は、ＬＡＮ（Local Area Network）などのネットワーク２に、複数台の印刷装置１０と、印刷管理装置３０を接続して構成される。また、ネットワーク２には、印刷ジョブを印刷管理装置３０へ送信して投入するＰＣ（パーソナルコンピュータ）３などが接続される。
【００６３】
印刷装置１０は、原稿を光学的に読み取ってその複製画像を記録紙に印刷するコピー機能、読み取った原稿の画像データをファイルにして保存したり外部端末へネットワーク２を通じて送信したりするスキャン機能、印刷管理装置３０からネットワーク２を通じて受信した印刷ジョブに基づいて記録紙上に文書や画像を印刷して出力する印刷機能などを備えた、所謂、複合機である。以後、印刷装置１０をＭＦＰと呼ぶものとする。
【００６４】
印刷システム５では、印刷管理装置３０は、ＰＣ３等から宛先の設定された印刷ジョブの投入を受けて、該印刷ジョブを蓄積する。ユーザがいずれかの印刷装置１０でユーザ認証を行ってログインすると、印刷管理装置３０に蓄積されている印刷ジョブのうち、ログインユーザが宛先に設定されている印刷ジョブの印刷がその印刷装置１０で実行可能になる。
【００６５】
たとえば、ユーザがいずれかの印刷装置１０で認証を行ってログインしたとき、該ユーザが宛先に設定されている印刷ジョブの一覧がその印刷装置１０の操作パネルに表示される。そして、該一覧の中からユーザがいずれかの印刷ジョブを選択すると、その選択された印刷ジョブが印刷管理装置３０から印刷装置１０へ送信され、該印刷装置１０で該印刷ジョブに係る印刷が実行される。
【００６６】
また、印刷システム５は、図２に示すように、宛先の設定された印刷ジョブが印刷管理装置３０に投入されてから第１設定時間（たとえば、１分）の経過前にその宛先のユーザがいずれかの印刷装置１０にログイン（ユーザ認証）すると、前述した一覧から選択する等の操作を行うことなく、その印刷ジョブが印刷管理装置３０から印刷装置１０に自動的に送信されて自動的に印刷が実行されるジョブの自動実行機能を備えている。
【００６７】
しかし、印刷ジョブを投入してから第１設定時間の経過前にユーザがその印刷ジョブを実行させるために印刷装置１０の前まで移動してきたが、印刷装置１０側の事情、たとえば、印刷装置１０の電源がオフである、印刷装置１０が省電力モードに入っている、他のユーザがログイン中である等の事情で、ユーザ認証（ログイン）できない場合には、前述したジョブの自動実行機能が使えなくなる。
【００６８】
この問題に対応するために、印刷システム５は、代替認証によるジョブの自動実行機能をさらに備えている。この機能では、図３に示すように、印刷装置１０（第１の印刷装置１０とする）の認証部が使用不可でログインできない場合にユーザから該印刷装置１０が受けた所定の行為を代替認証行為として検出し、これをその検出時刻と共に記憶しておく。
【００６９】
代替認証行為は、ユーザが印刷装置１０の前まで到着していることを示す行為であり、印刷システム５は、その行為が行われた時刻、すなわち、ユーザが印刷装置１０に到着した時刻を記録する。なお、代替認証行為を行うことを「代替認証する」と呼ぶものとする。
【００７０】
代替認証行為には、主電源のオフからオンへの復帰操作、副電源のオフからオンへの復帰操作、省電力モードからの復帰操作、ログインユーザが既に存在するときに認証部に対して行われた認証のための行為等がある。主電源がオフの状態、副電源のオフの状態、省電力モードの状態に印刷装置１０があるときは、これらの状態から印刷装置１０（特に認証部）を使用可能な状態に復帰させるための動作を代替認証行為として検出する。すなわち、主電源をオンにする行為、副電源をオンにする行為、省電力モードから復帰させる行為が代替認証行為となる。
【００７１】
なお、主電源のオフからオンへの復帰操作、副電源のオフからオンへの復帰操作、省電力モードからの復帰操作を総称して復帰系代替認証行為とする。ログインユーザが既に存在するときに認証部に対して行われた認証のための行為を、ログイン系代替認証行為とする。
【００７２】
ログイン系代替認証行為としては、たとえば、認証部が、ＩＣカードからユーザ情報を読み取ってユーザ認証する構成において、ログインユーザが既に存在する状態で別のユーザがＩＣカードを認証部に読み取らせる行為がある。このようにして、ログインユーザが既に存在する状態で認証部に別のユーザの認証情報が入力されたとき、代替認証部は認証部に入力された認証情報を記録し、該認証情報の入力を代替認証行為として検出する。
【００７３】
その後、認証部が使用可能になってユーザが第１の印刷装置１０でユーザ認証してログイン（代替認証行為の後に行う認証を正式認証とする。）したとき、印刷管理装置３０に蓄積されている印刷ジョブの中に、該ユーザが宛先に設定されていると共に代替認証行為の検出時刻が投入から第２設定時間（たとえば、第１設定時間と等しい時間）の経過前である印刷ジョブがあれば、該印刷ジョブを印刷管理装置３０から第１の印刷装置１０に送信して印刷を自動的に実行させる。
【００７４】
すなわち、代替認証によるジョブの自動実行機能によれば、ユーザが印刷装置１０に到着したときにその印刷装置１０の認証部が使用不可でログインできない場合であっても、印刷ジョブの投入から第２設定時間の経過前にその印刷装置１０に対して代替認証行為を行っておけば、その後、認証部が使用可能になってからログイン（正式認証）することでその印刷ジョブを自動的に実行させることができる。
【００７５】
図４は、第２設定時間を第１設定時間より長くする場合の例を示している。主電源をオンにするなど復帰系代替認証行為においては、印刷ジョブを投入したユーザが印刷装置１０に到着しても、その印刷装置１０が、主電源や副電源がオフの状態にあることや、省電力モードの状態にあることに、直ぐに気づかない可能性がある。
【００７６】
そういったケースでは、ユーザは、操作パネルや操作釦を触って反応がないことを確認し、その後、初めて主電源がオフであるという事実に気が付き、主電源をオンし、その後、印刷装置１０が立ち上がって認証可能な状態になるのを待ってユーザ認証を行うという手順を踏むことになる。
【００７７】
このようなケースでは、ユーザが印刷装置１０の前に到着してから代替認証行為を行うべきことに気付くまでに時間のロスが生じ得るので、これを考慮して、代替認証行為の受け付けを許容する第２設定時間を、少なくともそのロスに相当する分だけ第１設定時間より長くする。
【００７８】
図５は、ログイン系代替認証行為を行ったユーザに対して、他のユーザがログアウトして認証可能になったことを通知する場合の例を示している。ユーザＡが印刷ジョブを投入してから印刷装置１０に向かって移動してきたが、その印刷装置１０を他のユーザＢが使用しており（ユーザＢがログイン中）、長時間待っていても、なかなかその印刷装置１０が空かないような状況のとき、ユーザＡは印刷を後で行うことにして、自席に戻ってしまうということが起こり得る。そのような場合に、ユーザＡが代替認証行為を行ってから自席に戻れば、他のユーザＢが印刷装置１０からログアウトした際に、ユーザＡの端末に対して、認証可能になったことが通知される。ユーザＡが該通知を受けてから印刷装置１０に出向いてユーザ認証を行えば、印刷装置１０は、ユーザＡの印刷ジョブの自動実行を開始する。
【００７９】
図６は、代替認証の後に印刷装置１０が認証可能な状態になってから一定時間の経過前に正式認証が行われた場合にのみ、印刷ジョブの自動実行を行う場合の例を示している。
【００８０】
代替認証が行われた後に、その印刷装置１０が認証可能状態になっても長時間、正式認証が行われないようなときは、もはやそのユーザがジョブの自動実行を希望しているのか疑わしい。また、他のユーザが代替認証を行う場合も考えられるので、古すぎる代替認証をいつまでも保持しておくと無駄が生じる。そこで、代替認証が行われた後、認証可能状態になってから所定時間（正式認証受け付け時間とする）内に正式認証が行われた場合にのみ、印刷ジョブを自動実行する。一方、代替認証が行われた後、認証可能状態になってから正式認証受け付け時間内に正式認証が行われない場合には、その代替認証は無効にされ、認証しても印刷ジョブの自動実行は行わない。
【００８１】
図７は、第１の実施の形態に係る印刷システム５に含まれる印刷装置１０の概略構成を示すブロック図である。印刷装置１０は、当該印刷装置１０の動作を統括的に制御する制御部１１を有している。制御部１１は、ＣＰＵ（Central Processing Unit）などを主要部品として構成される。制御部１１には、記憶部１２、画像処理部１３、画像読取部１４、操作パネル１５、印刷部１８、ネットワーク通信部１９、認証部２１、代替認証部２２等が接続されている。
【００８２】
制御部１１のＣＰＵは、ＯＳ（Operating System）プログラムをベースとし、その上で、ミドルウェアやアプリケーションプログラムなどのプログラムを実行する。
【００８３】
記憶部１２は、ＲＯＭ（Read Only Memory）、ＲＡＭ（Random Access Memory）、ハードディスク装置、不揮発メモリなどで構成され、各種のプログラムやデータが記憶される。記憶部１２には、装置全体の動作を制御するプログラムなどが記憶される。制御部１１のＣＰＵがこれらのプログラムに従って各種の処理を実行することで印刷装置１０としての機能が実現される。
【００８４】
画像処理部１３は、画像の拡大縮小、回転などの処理のほか、印刷データをイメージデータに変換するラスタライズ処理、画像データの圧縮、伸張処理などを行う。
【００８５】
画像読取部１４は、原稿を光学的に読み取って画像データを取得する機能を果たす。画像読取部１４は、例えば、原稿に光を照射する光源と、その反射光を受けて原稿を幅方向に１ライン分読み取るラインイメージセンサと、ライン単位の読取位置を原稿の長さ方向に順次移動させる移動ユニットと、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００８６】
操作パネル１５は、表示部１６と、操作部１７を備えている。表示部１６は、液晶ディスプレイ（ＬＣＤ…Liquid Crystal Display）などで構成され、各種の操作画面、設定画面などを表示する機能を果たす。操作部１７は、スタートボタンなどの各種操作スイッチ、表示部１６の表示面上に設けられたタッチパネル等で構成される。タッチパネルは、タッチペンや指などで押下された座標位置を検出する。また、フリック操作、ドラッグ操作、スクロールバーに対する操作などを検出する。
【００８７】
印刷部１８は、印刷データに応じた画像を記録紙上に画像形成する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。印刷部１８は他の方式でもかまわない。
【００８８】
認証部２１は、ユーザを認証する。該認証は、宛先の設定された印刷ジョブを出力するための認証である。ここでは、印刷装置１０にログインするためのユーザ認証が、宛先の設定された印刷ジョブを出力するための認証を兼ねる。認証部２１は、使用する認証方法に対応した適宜のものを使用すればよい。たとえば、前述したＩＣカードの読み取りでユーザ認証する場合には、認証部２１をＩＣカードリーダとすればよい。静脈認証の場合は、静脈の読み取り機とすればよい。なお、ユーザＩＤとパスワードをキー入力で受け付ける場合には、操作パネル１５が認証部２１としての機能を果たす。
【００８９】
代替認証部２２は、前述した代替認証行為を検出する。
【００９０】
ネットワーク通信部１９は、ネットワーク２を通じて印刷管理装置３０や他の外部装置との間で通信する機能を果たす。印刷装置１０は、ネットワーク通信部１９を使用して印刷管理装置３０から印刷ジョブを受信する。
【００９１】
印刷装置１０は、認証部２１でのユーザ認証の結果や代替認証部２２での代替認証行為の検出状況などに関する通知を、ネットワーク通信部１９を使用して印刷管理装置３０に送信する。印刷装置１０は、認証部２１を用いてユーザがログインしたとき、直ちに、該ログインユーザを印刷管理装置３０に通知する。また印刷装置１０は、代替認証部２２が代替認証行為を検出したとき、直ちに、該検出を印刷管理装置３０に通知する。印刷装置１０は、ユーザがログアウトしたとき、その旨を直ちに印刷管理装置３０に通知する。なお、印刷装置１０が時計を有する場合には、上記の通知に、ユーザがログインした時刻や代替認証行為が検出された時刻、ログアウトした時刻の情報を含めるようにしてもよい。
【００９２】
図８は、印刷管理装置３０の概略構成を示すブロック図である。印刷管理装置３０は、制御部３１、記憶部３２、通知部３３、ネットワーク通信部３４、時計部３５、通知受信部３６等を備えて構成される。
【００９３】
制御部３１は、印刷管理装置３０の動作を制御するＣＰＵ等で構成される。制御部３１のＣＰＵは、ＯＳプログラムをベースとし、その上で、ミドルウェアやアプリケーションプログラムを実行する。
【００９４】
記憶部３２は、ＲＡＭ、及び不揮発性のフラッシュＲＯＭ、ハードディスク装置などで構成される。記憶部３２には、各種のプログラムが格納されており、これらのプログラムに従って制御部３１が各種の処理を実行することで印刷管理装置３０の機能が実現される。
【００９５】
記憶部３２は、受信した印刷ジョブを蓄積する蓄積部３８としての機能を果たす。宛先の設定された印刷ジョブを受信した場合には、該印刷ジョブに、該印刷ジョブが投入された時刻と、該印刷ジョブで指定されている宛先とが紐付けて記憶される。また、記憶部３２には、代替認証管理テーブル４０が設けられ、該代替認証管理テーブル４０に代替認証行為の検出に関する情報が登録される。さらに記憶部３２は、制御部３１がプログラムを実行する際に各種のデータを一時的に記憶するワークメモリ等として使用される。また、印刷管理装置３０には、ネットワーク２に接続されている管理対象の複数台の印刷装置１０が登録されており、この登録されている印刷装置１０を対象にジョブの自動実行や代替認証によるジョブの自動実行を制御する。
【００９６】
通知部３３は、ログインユーザが既に存在する状態で代替認証が行われた場合に、そのログインユーザがログアウトしたことを、代替認証を行ったユーザの端末に通知する機能を果たす。通知受信部３６は、印刷装置１０から認証および代替認証行為の検出に関する通知を受信する機能を果たす。
【００９７】
ネットワーク通信部３４は、ネットワーク２を通じてＰＣ３や印刷装置１０と通信する機能を果たす。ネットワーク通信部３４は、ＰＣ３から印刷ジョブを受信する際に、印刷装置１０からはユーザ認証や代替認証行為の検出に関する通知を受信する際に、また印刷装置１０に対して印刷ジョブを送信する場合等に使用される。
【００９８】
時計部３５は、印刷ジョブが投入された時刻、ユーザ認証された時刻や代替認証行為が検出された時刻を取得するために使用される。ここでは、印刷装置１０から認証の通知を受けた時刻をその認証の時刻とし、印刷装置１０から代替認証行為の検出の通知を受けた時刻を、代替認証行為を受けた時刻とする。
【００９９】
図９は、記憶部３２に記憶される代替認証管理テーブル４０の一例を示している。代替認証管理テーブル４０には、印刷装置１０から受ける代替認証行為の検出に関する通知毎に、代替認証が行われた時刻（代替認証時刻）、代替認証が行われた印刷装置１０（代替認証印刷装置）の識別情報（たとえば、印刷装置１０の識別名称やＩＰアドレス）、代替認証したユーザ（代替認証ユーザ）、代替認証の行われた印刷装置１０が認証可能状態に遷移した時刻（認証可能状態遷移時刻）などが登録される。
【０１００】
代替認証したユーザが不明の場合、すなわち、検出された代替認証行為が、主電源のオフからオンへの復帰操作、副電源のオフからオンへの復帰操作、省電力モードからの復帰操作の場合には、代替認証行為を行ったユーザを特定できないので、代替認証ユーザの欄は空欄にされる。代替認証の行われた印刷装置１０が認証可能状態に遷移するまでは、認証可能状態遷移時刻の欄は空欄にされる。
【０１０１】
検出された代替認証行為が、「ログインユーザが既に存在するときに認証部２１に対して行われた認証のための行為」である場合には、認証のための行為を行ったユーザを特定できるので、そのユーザが代替認証ユーザの欄に登録される。
【０１０２】
代替認証管理テーブル４０に登録された情報は、その代替認証に対する正式認証を受けた場合に、あるいは代替認証ユーザが不明の代替認証については、認証可能になってから最初の認証を受けた場合に、あるいは代替認証を受けた印刷装置１０が認証可能な状態になってから正式認証受け付け時間が過ぎた場合に、代替認証管理テーブル４０から削除される。
【０１０３】
図１０は、代替認証によるジョブの自動実行に関する処理の概略を示している。まず、ユーザがＰＣ３等の端末から印刷管理装置３０に対して、宛先の設定された印刷ジョブを投入（送信）する（ステップＳ１０１）。ここでは、ユーザが移動した先の印刷装置１０が、他のユーザがログインしているために認証できない状態であったものとする。
【０１０４】
印刷装置１０に到着したユーザは、認証できないので、代替認証する（ステップＳ１０２）。代替認証の行われた時点が、ステップＳ１０１で投入された印刷ジョブの投入時刻から第２設定時間を過ぎている場合は（ステップＳ１０３；Ｎｏ)、該印刷ジョブの自動実行は行われない（ステップＳ１０８）。
【０１０５】
代替認証の行われた時点が、ステップＳ１０１で投入された印刷ジョブの投入から第２設定時間が経過する前の場合は（ステップＳ１０３；Ｙｅｓ）、印刷装置１０が認証可能な状態に遷移するのを待つ（ステップＳ１０４；Ｎｏ）。この例では、使用中のユーザがログアウトしたとき、認証可能な状態となる。
【０１０６】
印刷装置１０が認証可能な状態になったら、その旨を、ステップＳ１０２で代替認証を行ったユーザの端末に通知する(ステップＳ１０５)。
【０１０７】
その後、所定時間（正式認証受け付け時間）内に、正式認証があれば（ステップＳ１０６；Ｙｅｓ）、ステップＳ１０１で投入された印刷ジョブを自動実行する（ステップＳ１０７）。一方、所定時間（正式認証受け付け時間）内に、正式認証がなければ（ステップＳ１０６；Ｎｏ）、ステップＳ１０１で投入された印刷ジョブの自動実行は行わない（ステップＳ１０８）。
【０１０８】
次に、印刷装置１０および印刷管理装置３０が行うより詳細な動作の流れを説明する。
【０１０９】
図１１は、印刷装置１０が行う処理の流れを示している。印刷装置１０は、主電源のオフからオンへの復帰操作、副電源のオフからオンへの復帰操作、省電力モードからの復帰操作など復帰系代替認証行為を受けたか否かを判断する（ステップＳ２０１）。復帰系代替認証行為を受けた場合は（ステップＳ２０１；Ｙｅｓ）、代替認証行為の検出を印刷管理装置３０に通知して（ステップＳ２０２）、ステップＳ２０３へ移行する。この通知には、当該印刷装置１０の識別情報が含まれる。なお、検出の時刻をさらに含めてもよい。復帰系代替認証行為を受けない場合は（ステップＳ２０１；Ｎｏ）、ステップＳ２０３へ移行する。
【０１１０】
ステップＳ２０３では、自装置にユーザがログイン中か否かを判断する。ログイン中でなければ（ステップＳ２０３；Ｎｏ）、ログインのためのユーザ認証が行われたか否かを判断する(ステップＳ２０４)。ユーザ認証が行われてユーザがログインした場合は（ステップＳ２０４；Ｙｅｓ）、ユーザ認証を受けたことを示す認証通知を印刷管理装置３０に送信して（ステップＳ２０５）、ステップＳ２１０へ移行する。認証通知には、当該印刷装置１０の識別情報とユーザ認証されたユーザ名等が含まれる。なお、ユーザ認証を受けた時刻をさらに含めてもよい。ユーザ認証を受けない場合は（ステップＳ２０４；Ｎｏ）、ステップＳ２１０へ移行する。
【０１１１】
自装置にユーザが既にログインしている場合は（ステップＳ２０３；Ｙｅｓ）、代替認証行為（ログインユーザが既に存在するときに認証部に対して行われた認証のための行為：ログイン系代替認証行為）が行われたか否かを判断する（ステップＳ２０６）。代替認証行為を検出した場合は（ステップＳ２０６；Ｙｅｓ）、代替認証行為の検出を示す代替認証通知を印刷管理装置３０に送信して（ステップＳ２０７）、ステップＳ２０８へ移行する。この通知には、当該印刷装置１０の識別情報と代替認証行為を行ったユーザ名等が含まれる。なお、代替認証行為が検出された時刻をさらに含めてもよい。代替認証行為の検出が無い場合は（ステップＳ２０６；Ｎｏ）、ステップＳ２０８へ移行する。
【０１１２】
ステップＳ２０８では、ログアウトされたか否かを判断する。ユーザがログアウトした場合は（ステップＳ２０８；Ｙｅｓ）、認証可能状態へ遷移したことを示す通知を印刷管理装置３０へ送信して（ステップＳ２０９）、ステップＳ２１０へ移行する。この通知には、当該印刷装置１０の識別情報が含まれる。なお、ログアウトが検出された時刻をさらに含めてもよい。
【０１１３】
ステップＳ２１０では、印刷管理装置３０から印刷ジョブを受信したか否かを判断し、受信していなければ（ステップＳ２１０；Ｎｏ）、ステップＳ２０１に戻る。受信した場合は（ステップＳ２１０；Ｙｅｓ）、該受信した印刷ジョブを直ちに自動実行して（ステップＳ２１１）、ステップＳ２０１に戻る。
【０１１４】
図１２、図１３は印刷管理装置３０が行う処理の流れを示している。印刷管理装置３０は、ＰＣ３等から印刷ジョブの投入を受けた場合は（ステップＳ３０１；Ｙｅｓ）、受信時刻と該印刷ジョブに設定されている宛先とを紐付けて当該印刷ジョブを蓄積部３８に蓄積して(ステップＳ３０２)、ステップＳ３０１に戻る。印刷ジョブを受信しない場合は（ステップＳ３０１；Ｎｏ）、認証通知を受信したか否かを判断する（ステップＳ３０３）。
【０１１５】
認証通知を受けない場合は（ステップＳ３０３；Ｎｏ）、代替認証通知を受けたか否かを判断する（ステップＳ３０４）。代替認証通知を受信した場合は（ステップＳ３０４；Ｙｅｓ）、当該代替認証通知に対応する代替認証情報を代替認証管理テーブル４０に登録して（ステップＳ３０５）、ステップＳ３０１に戻る。
【０１１６】
詳細には、代替認証通知の送信元の印刷装置１０（代替認証印刷装置）と、代替認証通知を受信した時刻（代替認証時刻）と、代替認証通知に代替認証行為を行ったユーザ名が含まれている場合は該ユーザを代替認証ユーザとして登録する。なお、代替認証通知に、代替認証行為の検出時刻が含まれている場合はこれを代替認証時刻として登録し、含まれていない場合は自装置の時計部３５を参照して得た代替認証通知の受信時刻を代替認証時刻として登録する。
【０１１７】
なお、代替認証通知に代替認証行為を行ったユーザ名が含まれている場合は、そのユーザを宛先とする印刷ジョブが蓄積部３８に存在する場合にのみ該代替認証通知に係る代替認証情報を代替認証管理テーブル４０に登録し、そのユーザを宛先とする印刷ジョブが蓄積部３８に存在しない場合は該代替認証通知に係る代替認証情報を代替認証管理テーブル４０に登録しないようにしてもよい。代替認証を行ったユーザの印刷ジョブが蓄積されていない場合には、該代替認証に基づくジョブの自動実行を行う必要がないことによる。代替認証通知を受信しない場合は（ステップＳ３０４；Ｎｏ）、ステップＳ３０６へ移行する。
【０１１８】
ステップＳ３０６では、認証可能状態に遷移した通知を受信したか否かを判断する。該通知を受信した場合は（ステップＳ３０６；Ｙｅｓ）、通知元の印刷装置１０が代替認証印刷装置として代替認証管理テーブル４０に登録されているか否かを確認する（ステップＳ３０７）。登録されていなければ（ステップＳ３０８；Ｎｏ）、ステップＳ３０１に戻る。
【０１１９】
登録されている場合は（ステップＳ３０８；Ｙｅｓ）、通知元の印刷装置１０に対応する代替認証ユーザを代替認証管理テーブル４０から取得し、該ユーザに対応付けて予め登録されている端末（端末のＩＰアドレス等が登録されている）に対して、そのユーザが代替認証した印刷装置１０が認証可能な状態になったことを通知する（ステップＳ３０９）。これは、図５に示す通知に対応する。
【０１２０】
そして、代替認証管理テーブル４０のうちの該通知元の印刷装置１０に対応する代替認証情報の認証可能状態遷移時刻の欄に、認証可能状態に遷移した時刻を登録して（ステップＳ３１０）、ステップＳ３０１に戻る。この時刻はステップＳ３０７で認証可能状態に遷移した通知を受信した時刻、もしくは該通知に認証可能状態に遷移した時刻が含まれている場合はその時刻を使用する。
【０１２１】
認証可能状態に遷移した通知を受信しない場合は（ステップＳ３０６；Ｎｏ）、正式認証受け付け時間を超えた印刷装置が存在するか否かを判断する（ステップＳ３１１）。具体的には、代替認証管理テーブル４０に登録されている代替認証情報のうち、現在時刻が、認証可能状態遷移時刻に正式認証受け付け時間を加えた時刻を超えるものがあれば、その代替認証情報を代替認証管理テーブル４０から削除して（ステップＳ３１２）、ステップＳ３０１に戻る。これは図６に示す動作に対応させるものであり、代替認証が行われた後、認証可能状態になってから正式認証受け付け時間内に正式認証が行われない場合に、その代替認証行為を無効にしている。
【０１２２】
認証通知を受信した場合は（ステップＳ３０３；Ｙｅｓ）、蓄積部３８に蓄積されている印刷ジョブの中から、第１条件に一致する印刷ジョブを検索する（ステップＳ３１３）。第１条件は、認証されたユーザが宛先に設定されていると共に、認証の行われた時点がジョブの投入から第１設定時間の経過前、という条件である。
【０１２３】
蓄積部３８に蓄積されている印刷ジョブの中で第１条件に合致するものがあれば（ステップＳ３１４；Ｙｅｓ）、その印刷ジョブを、認証通知の送信元の印刷装置１０に送信し、該印刷ジョブを直ちに自動的に実行するように指示して(ステップＳ３１５)、ステップＳ３１６に移行する。第１条件に一致する印刷ジョブが存在しない場合は（ステップＳ３１４；Ｎｏ)、ステップＳ３１６に移行する。
【０１２４】
ステップＳ３１６では、蓄積部３８に蓄積されている印刷ジョブの中から、第２条件に一致する印刷ジョブを検索する。第２条件は、認証されたユーザが宛先に設定されていると共に、認証通知の通知元の印刷装置で検出された代替認証行為の検出時点がジョブの投入から第２設定時間の経過前、という条件である。
【０１２５】
第２条件を調べるにあたっては、代替認証管理テーブル４０に登録されている代替認証情報のうち、代替認証印刷装置が、認証通知の通知元に一致するものを使用する。すなわち、認証通知の通知元の印刷装置１０が代替認証行為の検出された印刷装置１０と一致することを担保する。また、その代替認証情報に代替認証ユーザが登録されている場合は、登録されている代替認証ユーザと、認証通知で通知されたユーザとが一致することを第２条件に付加する。
【０１２６】
すなわち、認証通知に係る認証を行ったユーザと、代替認証行為を行ったユーザとの一致を担保する。言い換えると、代替認証とその後に行われた認証とにおいて、印刷装置１０とユーザ（代替認証ユーザを特定できる場合）が共に一致することを第２条件に付加する。
【０１２７】
認証通知の通知元の印刷装置１０で検出された代替認証行為の検出時点は、代替認証管理テーブル４０に登録されている該当の代替認証情報の代替認証時刻の欄から取得する。
【０１２８】
第２条件に一致する印刷ジョブが蓄積部３８に蓄積されている場合は（ステップＳ３１７；Ｙｅｓ）、認証通知の通知元の印刷装置１０に対して印刷ジョブを送信して該印刷ジョブの自動実行を指示除する（ステップＳ３１８）。そして、第２条件の判定に使用した代替認証情報を代替認証管理テーブル４０から削除して（ステップＳ３１９）、ステップＳ３０１へ移行する。
【０１２９】
第２条件に一致する印刷ジョブが蓄積部３８に蓄積されていない場合は（ステップＳ３１７；Ｎｏ）、認証通知の通知元の印刷装置１０に対応する代替認証情報を代替認証管理テーブル４０から削除して（ステップＳ３２０）、ステップＳ３０１へ移行する。
【０１３０】
ステップＳ３２０で代替認証情報を削除することで、代替認証後、その代替認証行為が検出された印刷装置１０に対して最初にログイン(ユーザ認証)したユーザを宛先とするジョブのみがステップＳ３１６の判断対象になるように制御される。すなわち、復帰系代替認証行為では代替認証を行ったユーザを特定できないので、印刷装置１０が認証可能状態になってから最初にログイン（ユーザ認証）したユーザを宛先とするジョブのみを、代替認証によるジョブの自動実行の対象とする。
【０１３１】
たとえば、印刷装置Ａで代替認証が行われ、その後、印刷装置Ａが認証可能状態になってから最初に印刷装置Ａでユーザ認証したユーザを宛先とするジョブが蓄積部３８にあれば、ステップＳ３１７でＹｅｓとなって代替認証によるジョブの自動実行が行われる。一方、印刷装置Ａで代替認証が行われ、その後、印刷装置Ａが認証可能状態になってから最初に印刷装置Ａでユーザ認証したユーザを宛先とするジョブが蓄積部３８に蓄積されていない場合にも、ステップＳ３２０で印刷装置Ａに係る代替認証情報を削除するので、次に印刷装置Ａで行われるユーザ認証（認証可能になってから２人目以降のユーザ認証）は、代替認証によるジョブの自動実行の対象外になる。
【０１３２】
このように第１の実施の形態に係る印刷システム５では、宛先の設定した印刷ジョブを印刷管理装置３０に投入した後、印刷管理装置３０に管理されるいずれかの印刷装置１０に、ジョブ投入から第１設定時間の経過前にログインすれば、印刷ジョブを一覧から選択する等の操作を行うことなく、その印刷ジョブが自動実行されて印刷される。
【０１３３】
また、第２設定時間（第１設定時間と同じ、あるいは、図４に示すロス分だけ第１設定時間より長い時間）内に、印刷装置１０に到着したが、印刷装置１０側の事情でログインできない場合には、代替認証行為を行っておけば、印刷装置１０が認証可能状態になってからログインすれば、印刷ジョブが自動実行されるので、印刷装置１０側の事情でログインできなかったことでジョブの自動実行の利便性が損なわれることが回避される。
【０１３４】
次に、本発明の第２の実施の形態について説明する。
【０１３５】
第１の実施の形態では印刷管理装置３０と印刷装置１０がネットワーク２を介して接続された印刷システム５を示したが、第２の実施の形態では、印刷管理装置３０の機能を印刷装置が備え、印刷装置が単独でジョブの自動実行を制御する。
【０１３６】
図１４は、第２の実施の形態に係る印刷装置６０の概略構成を示している。印刷装置６１は、当該印刷装置６０の動作を統括的に制御する制御部６１を有している。第１の実施の形態に係る印刷装置１０と同一構成の部分には同一の符号を付してその説明を適宜省略する。
【０１３７】
ネットワーク通信部１９および制御部１１は宛先が設定された印刷ジョブの投入を受けるジョブ受領部としての機能を果たす。記憶部１２は、ＰＣ３等から投入された印刷ジョブを蓄積する蓄積部の機能を果たす。また、記憶部１２には、当該印刷装置に対して行われた代替認証行為に関する代替認証情報が記憶される。制御部１１には、時計部６２が接続されている。時計部６２は印刷ジョブが投入された時刻、ユーザ認証された時刻や代替認証行為が検出された時刻、ログアウトした時刻等を取得するために使用される。通知部６３は、ログインユーザがログアウトしたことを、認証のための行為を行ったユーザの端末に通知する機能を果たす。
【０１３８】
印刷装置６０の記憶部１２に記憶される代替認証情報は、当該印刷装置６０の代替認証部２２で検出した１つの代替認証行為に対応するもののみである。そのため、代替認証印刷装置の欄は不要である。
【０１３９】
印刷装置６０は、宛先が設定された印刷ジョブの投入をＰＣ３等から受けてこれを自装置の蓄積部に蓄積する。そして、認証部２１によってユーザの認証が行われたとき、蓄積されている印刷ジョブの中に、認証されたユーザが宛先に設定されていると共に認証の行われた時点が投入から第１設定時間の経過前の印刷ジョブがあるか否かを調べ、該当する印刷ジョブがあれば、これを自動実行する。
【０１４０】
また、認証部２１によってユーザの認証が行われたとき、蓄積されている印刷ジョブの中に、認証されたユーザが宛先に設定されていると共に代替認証行為の検出時点が投入から第２設定時間の経過前の印刷ジョブがあるか否かを調べ、該当する印刷ジョブがあれば、これを自動実行する。
【０１４１】
印刷装置６０においても、図２〜図６に示す動作が行われる。また、図１０と同じ流れで代替認証によるジョブの自動実行が行われる。
【０１４２】
図１５、図１６は、第２の実施の形態に係る印刷装置６０がジョブの自動実行に関して行う処理の流れを示している。印刷装置６０は、ＰＣ３等から印刷ジョブの投入を受けた場合は（ステップＳ４０１；Ｙｅｓ）、受信時刻と該印刷ジョブに設定されている宛先とを紐付けて当該印刷ジョブを記憶部１２に蓄積して(ステップＳ４０２)、ステップＳ４０１に戻る。印刷ジョブを受信しない場合は（ステップＳ４０１；Ｎｏ）、認証部２１でユーザ認証（ログイン）が行われたか否かを判断する（ステップＳ４０３）。
【０１４３】
認証が行われていない場合は（ステップＳ４０３；Ｎｏ）、代替認証行為が検出されたか否かを判断する（ステップＳ４０４）。代替認証行為が検出された場合は（ステップＳ４０４；Ｙｅｓ）、当該代替認証行為に係る代替認証情報を記憶部１２に登録して（ステップＳ４０５）、ステップＳ４０１に戻る。
【０１４４】
詳細には、代替認証行為が検出された時刻（代替認証時刻）と、代替認証行為がログイン系代替認証行為の場合は、当該代替認証行為を行ったユーザを代替認証ユーザとして登録する。
【０１４５】
なお、ログイン系代替認証行為を検出した場合は、該代替認証行為を行ったユーザを宛先とする印刷ジョブが既に蓄積されている場合にのみ代替認証情報を登録し、そのユーザを宛先とする印刷ジョブが蓄積されていない場合には代替認証情報を登録しないようにしてもよい。代替認証行為を検出しない場合は（ステップＳ４０４；Ｎｏ）、ステップＳ４０６へ移行する。
【０１４６】
ステップＳ４０６では、ユーザがログアウトしたか否かを判断する。ログアウトした場合は（ステップＳ４０６；Ｙｅｓ）、代替認証ユーザの登録された代替認証情報が登録されているか否かを確認する（ステップＳ４０７）。登録されていなければ（ステップＳ４０８；Ｎｏ）、ステップＳ４０１に戻る。
【０１４７】
登録されている場合は（ステップＳ４０８；Ｙｅｓ）、代替認証情報に代替認証ユーザとして登録されているユーザに対応付けて予め登録されている端末（端末のＩＰアドレス等が登録されている）に対して、印刷装置６０が認証可能な状態になったことを通知する（ステップＳ４０９）。これは、図５に示す通知に対応する。
【０１４８】
そして、代替認証情報の認証可能状態遷移時刻の欄に、認証可能状態に遷移した時刻を登録して（ステップＳ４１０）、ステップＳ４０１に戻る。
【０１４９】
ログアウトが検出されない場合は（ステップＳ４０６；Ｎｏ）、正式認証受け付け時間を超えたか否かを判断する（ステップＳ４１１）。具体的には、代替認証情報に登録されている認証可能状態遷移時刻に、予め設定されている正式認証受け付け時間を加えた時刻を、現在時刻が超えているか否かを判断する。現在時刻が認証可能状態遷移時刻に正式認証受け付け時間を加えた時刻を超えている場合は、代替認証情報を削除して（ステップＳ４１２）、ステップＳ４０１に戻る。これは図６に示す動作に対応させるものであり、代替認証が行われた後、認証可能状態になってから正式認証受け付け時間内に正式認証が行われない場合に、その代替認証行為を無効にしている。
【０１５０】
認証部２１でユーザ認証（ログイン）が行われた場合は（ステップＳ４０３；Ｙｅｓ）、蓄積部に蓄積されている印刷ジョブの中から、第１条件に一致する印刷ジョブを検索する（ステップＳ４１３）。第１条件は、認証されたユーザが宛先に設定されていると共に、認証の行われた時点がジョブの投入から第１設定時間の経過前、という条件である。
【０１５１】
蓄積されている印刷ジョブの中で第１条件に一致するものがあれば（ステップＳ４１４；Ｙｅｓ）、その印刷ジョブを自動実行して(ステップＳ４１５)、ステップＳ４１６に移行する。第１条件に一致する印刷ジョブが存在しない場合は（ステップＳ４１４；Ｎｏ)、ステップＳ４１６に移行する。
【０１５２】
ステップＳ４１６では、蓄積されている印刷ジョブの中から、第２条件に一致する印刷ジョブを検索する。第２条件は、認証されたユーザが宛先に設定されていると共に、代替認証行為の検出時点がジョブの投入から第２設定時間の経過前、という条件である。
【０１５３】
なお、代替認証情報に代替認証ユーザが登録されている場合は、登録されている代替認証ユーザと、今回の認証のユーザとが一致することも第２条件に含める。代替認証行為の検出時点は、代替認証情報の代替認証時刻の欄から取得する。
【０１５４】
第２条件に一致する印刷ジョブが蓄積されている場合は（ステップＳ４１７；Ｙｅｓ）、その印刷ジョブを自動実行する(ステップＳ４１８)。そして、代替認証情報を記憶部１２から削除して（ステップＳ４１９）、ステップＳ４０１へ移行する。
【０１５５】
第２条件に一致する印刷ジョブが蓄積されていない場合は（ステップＳ４１７；Ｎｏ）、代替認証情報を記憶部１２から削除して（ステップＳ４２０）、ステップＳ４０１へ移行する。
【０１５６】
ステップＳ４２０で代替認証情報を削除することで、代替認証後、当該印刷装置６０に最初にログイン(ユーザ認証)したユーザを宛先とするジョブのみがステップＳ４１６の判断対象になるように制御される。すなわち、復帰系代替認証行為では代替認証を行ったユーザを特定できないので、印刷装置６０が認証可能状態になってから最初にログイン（ユーザ認証）したユーザを宛先とするジョブのみを代替認証によるジョブの自動実行の対象とする。
【０１５７】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１５８】
印刷管理装置３０は単体で存在している必要はなく、複数台のサーバが共同して印刷管理装置３０の機能を実現してもよい。また、印刷管理装置３０の機能を、いずれかの印刷装置１０あるいは複数台に印刷装置１０が共同して担うように構成されてもよい。
【０１５９】
第１設定時間、第２設定時間は、管理者等が任意に設定変更することができる。第２設定時間は第１設定時間と同一あるいはロスタイム分だけ長い時間に設定されることが望ましいが、第１設定時間より短い時間など任意の時間に設定することができる。
【０１６０】
実施の形態では、印刷システム５と印刷装置６０を例示して説明したが、印刷システム５における印刷管理装置３０、印刷システム５における印刷装置１０、印刷管理装置３０として情報処理装置を機能させるプログラムも本発明に含まれる。
【符号の説明】
【０１６１】
２…ネットワーク
３…ＰＣ
５…印刷システム
１０…印刷装置
１１…制御部
１２…記憶部
１３…画像処理部
１４…画像読取部
１５…操作パネル
１６…表示部
１７…操作部
１８…印刷部
１９…ネットワーク通信部
２１…認証部
２２…代替認証部
３０…印刷管理装置
３１…制御部
３２…記憶部
３３…通知部
３４…ネットワーク通信部
３５…時計部
３６…通知受信部
３８…蓄積部
４０…代替認証管理テーブル
６０…印刷装置
６２…時計部
６３…通知部
【図１】
2016148911.tif 000003
【図７】
2016148911.tif 000004
【図８】
2016148911.tif 000005
【図９】
2016148911.tif 000006
【図１０】
2016148911.tif 000007
【図１１】
2016148911.tif 000008
【図１２】
2016148911.tif 000009
【図１３】
2016148911.tif 000010
【図１４】
2016148911.tif 000011
【図１５】
2016148911.tif 000012
【図１６】
2016148911.tif 000013
【図２】
2016148911.tif 000014
【図３】
2016148911.tif 000015
【図４】
2016148911.tif 000016
【図５】
2016148911.tif 000017
【図６】
2016148911.tif 000018